(57)【要約】【課題】【解決手段】本発明は、ケーブルがその軸方向に摺動可能に受けられる細長いハウジングを備える、ケーブルを把持するための装置に関する。このハウジングは、ケーブルの一端がハウジングから出て、戻ってハウジングで受けられて輪を形成できるように構成される。この装置はさらに、ケーブルの少なくとも戻ってハウジングによって受けられる部分を固定する手段を含む。
2005524373.tif 000002
【特許請求の範囲】
【請求項１】
ケーブルをその軸方向に摺動可能に受けるための細長いハウジングを備える、ケーブルを把持するための装置であって、前記ハウジングは、ケーブルの一端がハウジングから出て、戻ってハウジングで受けられてリングを形成できるように構成され、前記装置がさらに少なくともハウジングによって受けられるケーブルの部分を固定する手段を含む、装置。
【請求項２】
前記ハウジングが筒状であり、前記ケーブルが前記筒の中央孔に沿って通る、請求項１に記載の装置。
【請求項３】
前記ハウジングが前記ハウジングの少なくとも片側に開口する開孔部を有し、前記ケーブルがそのような開孔部を通り前記ハウジングから出て行く、請求項２に記載の装置。
【請求項４】
前記ハウジングが前記開孔部開口と反対側に凹部を有し、前記ケーブルの前記端部がそのような凹部内で受けられる、請求項３に記載の装置。
【請求項５】
前記開孔部が前記ハウジングの全幅を延びて前記ハウジングの反対側に開口し、前記ケーブルが前記開孔部の一端から前記ハウジングを出て、前記開孔部のもう一端を通り戻ってハウジング内で受けられる、請求項３に記載の装置。
【請求項６】
前記開孔部の天井が斜めになっており、ケーブルが前記開孔部を通って出て行くのを案内する、請求項３、４または５に記載の装置。
【請求項７】
前記ハウジングが頭部を有し、前記ケーブルのリングを固定する前記手段が、前記ケーブルを前記頭部に押し付け一時的に保持するための第１の固定部片と、前記第１の固定部片を前記ケーブルのリングに押し付けて固定するための第２の固定部片とを備える、請求項１ないし６のいずれかに記載の装置。
【請求項８】
前記第１の固定部片を前記頭部に向かって付勢するための付勢手段をさらに備える、請求項７に記載の装置。
【請求項９】
ベースと、前記ベースに複数のケーブルの各々を取り付ける手段とを備え、前記取り付け手段は第１の中央取り付け装置と前記中央装置を対称的に取り囲む偶数の他の取り付け装置を備える、複数のケーブルを引っ張るための装置。
【請求項１０】
各取り付け装置が前記ベースに垂直な軸の周りを自由に回転可能である、請求項９に記載の装置。
【請求項１１】
各取り付け装置が急速リリース・リングを備える、請求項９または１０に記載の装置。
【発明の詳細な説明】
【技術分野】
【０００１】
本発明はケーブル布線の架設に関する。
【背景技術】
【０００２】
ツイストペア銅ケーブル布線が、建物内で音声やデータをコンピュータ、電話機などの最終使用者の機器に搬送するために従来から使用されているが、使用者の機器に到達するために一般に数百メートルのケーブル布線を天井上または床下を走らせなければならない。
【０００３】
図１は、従来技術によるそのようなケーブル布線の架設に関する構成部品を示す。架設者は通常、５００ｍのケーブル２０を収容するドラム１０からそのようなケーブルを引っ張り込む。ケーブル２０の端部は、鋼製の格子でできた引っ張り用ソック３０内に置かれ、ケーブルが引っ張られると、この格子はそれが取り巻くケーブル長の周りを締め付け、ケーブルをしっかりと把持する。
【０００４】
架設工程中に、絶縁シース内のツイストペア導体が過度に引き伸ばされることによってケーブルが損傷する恐れがあることが、大きな問題である。過度の引き伸ばしはツイストペア線間の間隔を減少させ、それが混線を増加させ、ケーブルの有効性を減少させる。したがって、引っ張りヒューズ４０または（同時係属の英国特許出願ＧＢ０１１８８６１．４に開示する磁気的連結器などの）同様な装置が、架設工程中にケーブルに過大な力が加えられることを防止するために使用される（この連結器は所定の力が加えられたとき切断するようになされており、リセットしなければ架設を再開することができない）。引っ張りヒューズのもう一方の端には、このヒューズの急速リリース・リングを介して、架設者が手動でケーブルをしかるべき位置に引っ張りこむために使用する、ハンドル５０が取り付けられている。
【０００５】
Ｃａｔ６／７標準の開始により、製造者達にさらに高い性能と広い帯域幅が要求されるようになった。箔でシールドされたツイストペアケーブル（Shielded Foiled Twisted Pair）（ＳＦＴＰ）などのケーブルが、これらの増大する要求に応じるために開発されてきた。そのようなケーブル布線では、各ツイストペアの導体はアルミニウムの箔の層で取り巻かれている。次いでペアケーブルの全体が別の箔の層で覆われ、さらに編組シールドされている。この新しい形態は、より高い転送速度を可能するが、ツイストペアの導体をケーブル布線のシース内に正確に位置決めすることにさらに大きく依存している。
【０００６】
引っ張りソックをこれらの新しいケーブルを把持するために使用することは、多くの理由から適切であるとは言えない。現在の引っ張りソックはずっと厚いケーブル用に設計されており、それらをより新しい種類のケーブルをしっかりと把持できるほど小さくすることは物理的に困難である。さらに、引っ張りソックによって把持された部分のケーブル長は廃棄しなければならない。というのは、ソックの把持動作がケーブル・シース内で導体を変位させがちであり、したがって、ケーブルのこの部分が正常に働くことに信頼が置けないからである。
【０００７】
さらに、引っ張りソックは、ケーブル上で十分な締め付け力を実現するためには、比較的長いことが必要である。これは、ソックの鋼製の格子が引っ張られるとき、ケーブルの周りのみしか締め付けないからである。ソックがそれより少しでも短いと、鋼製の格子がケーブルを適切に把持することができる前に、ケーブルはソックから引っ張り外されてしまう可能性がある。この引っ張りソックの長さは、多量のケーブルが無駄になることを意味する。
【０００８】
国際公開第００／６０７１４は、その牽引を可能とするワイヤまたはケーブルと連結するための装置を開示している。この装置は、１個またはいくつかの長手方向の溝を有するリングと、リング内の溝と同じ数の長手方向溝を有し前記リングの内側に嵌め込むように設計された端部部片と、締め付け位置でケーブルの各ワイヤを把持するようになされた突き出した要素（例えばリングの内側のねじ）とを備える。端部部片およびリング内の長手方向の溝は、互いに対向して置かれたとき、各ワイヤの断面に適合するようになされた少なくとも１個のハウジング、すなわち対応する溝同士が互いにオフセットしている上記角度的締め付け位置でその端部部片をリング内に（好ましくはねじによって）締め付ける手段を形成する。この装置は、ダクトまたはケーシング内でワイヤまたはケーブルを引っ張るために使用することができる。
【特許文献１】英国特許出願ＧＢ０１１８８６１．４
【特許文献２】国際公開第００／６０７１４
【発明の開示】
【発明が解決しようとする課題】
【０００９】
本発明の目的は上記従来技術の問題点を解決し、ケーブルを過度に引き伸ばさず、損傷しないケーブル把持装置を提供することにある。
【課題を解決するための手段】
【００１０】
したがって、本発明は、ケーブルをその軸方向に摺動可能に受ける細長いハウジングを備える、ケーブルを把持する装置であって、このハウジングがケーブルの一端がハウジングから出て、戻ってハウジングに受けられてリングを形成できるように構成され、この装置がさらに、ケーブルの少なくともハウジングによって受けられる部分を固定する手段を含む装置を提供する。
【００１１】
この装置は、図１に示す従来技術の引っ張りソックに代えて使用することを意図している。従来技術の引っ張りソックは、引っ張りヒューズまたは同様な装置に取り付けることができるリングを有している。国際公開第００／６０７１４の装置も、牽引手段に固定できる空洞を装置の頭部に有している。本発明の把持装置は、リングまたは他の牽引手段を備えていない。その代わりに、ケーブル自体を使用して、ケーブルが引っ張りヒューズまたは同様な装置に取り付けることができるリングを形成する。（勿論、この把持装置は直接ハンドルや引っ張りロープに取り付けることもできるが、それは架設者がうっかりしてケーブルを過度に引き伸ばし、それによってケーブルに損傷を与える危険がある。）
【００１２】
取り付け手段としてケーブルのリングを使用することは特に有利である。こうすると装置と共に供給する必要のある部品の数が減り、したがって、製造コストが低減する。
【００１３】
次に本発明の他の態様を説明する。複数のケーブルを引っ張るとき、対称的な引っ張り力を加え、各ケーブルの張力を実質的に同じにすることが重要である。これは、前に述べたように、過度に引き伸ばすとケーブルが損傷を受け易いからである。したがって、引っ張り工程中に所定の力が加えられたとき切断し、それによって過剰な力が加えられることを防止する、引っ張りヒューズまたは同様な装置が使用される。この装置が適切な時期に正しい個所で確実に切断されるためには、加えられる力が対称的であることが必要である。
【００１４】
別の態様では、本発明は、ベースと、複数のケーブルの各々をそのベースに取り付ける手段を含み、その取り付け手段が、第１の中央取り付け装置とその中央装置を対称的に取り囲む偶数の他の取り付け装置を有する、複数のケーブルを引っ張る装置を提供する。
【００１５】
ケーブルは記憶を有しており、架設工程中にねじれた形になることがある。これは工程を遅れさせ、内部の導体の変位に起因するケーブルの損傷をまねく潜在的可能性がある。したがって、各取り付け手段はベースの周りを自由に回転可能であり、したがって、ケーブルと共に移動可能であることが好ましい。各取り付け手段は、使用をできるだけ容易にするため、急速リリース・リングを備えることが好ましい。
【００１６】
さらに別の態様として、本発明は、図６、７および８を参照して実質的に本明細書で前に説明したように、引っ張り用の装置を提供する。
【００１７】
次に本発明の好ましい実施形態を、例示の目的でのみ、以下の図面を参照して説明する。
【発明を実施するための最良の形態】
【００１８】
図２、３、４、５を参照すると、ハウジングは、その中央孔１０５Ａ内でケーブル１００を軸方向に受ける中空の筒状本体１０５Ａを有している。本体の下部１１０は、ねじ切りされている。上部１２０は、角度をもった下部表面１５０Ａを有する頭部１５０と、本体１０５の全幅を跨ぐ横断開孔部１２５（図４、５参照）をも備えている。開孔部１２５は出口１３０を有し、頭部１５０から遠い側の本体１０５の下端で本体に入り本体の中央を通過したケーブル１００の自由端を、この出口１３０から架設者が引っ張り出すことができる（図２参照）。開口部１２５は入口１４０へ延び、したがって、ケーブルの自由端は本体１０５内へ戻り、リング１８０を形成することができる。開口部１２５の天井部１６５（図４、５）は、ケーブルを出口から外へ案内するように、出口１３０に対して上方へ斜めになっていることが好ましい。
【００１９】
第１の固定部片１７０が筒状本体１０５上を軸方向に摺動し、開孔部１２５の入口１４０および出口１３０でリングと接触し、ケーブルをそれらの地点で頭部１５０の角度をもった表面１５０Ａに押し付ける。第２の固定部片１６０は円筒状の本体上にねじ込まれれており、第１の固定部片を締め付け、ケーブルのリングを所定の位置に締結することができる。
【００２０】
図４および５に示す螺旋ばね１８５が、第１および第２の固定部片の間で圧縮されており、第１の固定部片１７０は頭部１５０に対して付勢されている。したがって、ケーブルを出口１３０から引き出し、ケーブルの自由端を開口部１２５の入口１４０内に位置させ、それによってリング１８０を形成させるためには、この部片１７０に頭部から離れる方向に力を加えなければならない。ばねは第２の固定部片１６０の筒状延長部１９５上に位置している。部片１７０が一旦解放されると、ばねが固定部片１７０をもとの頭部へ向かって付勢しケーブルを所定の位置に（図４に示すように）一時的に保持し、その間に第２の固定部片１６０をねじ１９０上で締め付けて（図５参照）、リング１８０を固定することができる。ばねのこの効果は、第２の固定部片の締め付けは簡単な片手仕事であることを意味する。さらに、このばねは確実に、第１の固定部片の静止位置が常に頭部の押し付け位置にあり、したがってハウジング内に埃が入りそれによって部品の働きが妨げられるのを防止するようにする。
【００２１】
図示しないが、代替の実施形態では、開口部１２５は本体１０５の幅一杯に延びるのではなく、出口１３０から本体１０５の中空中央孔１０５Ａまでのみ延びることもできる。この場合は、本体の出口１３０と反対側に凹部が形成され、そのような凹部は図示する実施形態で入口１４０がある場所に位置する。使用時は、ケーブル１００の自由端はこの凹部内に折り曲げて押し込まれ、前の説明と同様に第１の固定部片１７０によって固定される。
【００２２】
このさらなる実施形態においてはまた、表面１５０Ａまたは固定部片１７０の上端あるいはその両方は、出口１３０の近傍で解放され、ケーブル１００は折り曲げて凹部に押し込まれた自由端でのみ固定される。これによって、架設者は、ケーブル１００を引っ張り出し、ケーブルのリング１８０を取り付ける装置の周りに締め付けることができる。この変形形態は、開口部１２５が本体１０５の全幅を延びる場合も使用することができ、この場合はケーブルは入口１４０でのみ固定される。
【００２３】
開示のケーブル把持器は、ケーブルをケーブル・ヒューズまたは同様な装置に取り付ける簡単だが効果的な方法を提供する。引っ張りソックと異なり、この把持器はより新しい種類のケーブルに対しても働く寸法にすることができる。さらに、従来技術の解決策を用いる場合よりも、ケーブルの損傷はうんと少なくなる。（少なくとも最初に）リングを形成するのに使用されたケーブルの部分しか廃棄する必要がない。これは、従来技術のソック内のケーブルの全長とは対照的である。これは、この装置が引っ張りソックよりはるかに短いのに、それにもかかわらずケーブルの固定力を十分実現することができる、ケーブルを固定する方法に起因する。引っ張りソックは必ず、ケーブルを固定して把持するためにはるかに長い長さになる。というのは、ソックの鋼格子はそれが引っ張られるとき、ケーブルの周りを締め付けるだけだからである。ソックがそれより少しでも短いと、鋼製の格子がケーブルを適切に把持することができる前に、ケーブルはソックから引っ張り外されてしまう可能性がある。
【００２４】
さらに本発明によるケーブル把持器は、取り付け手段がケーブル自体（すなわちリング１８０）であるので、とくに有利である。こうすると供給する必要のある部品の数が減り、したがって、製造コストが低減する。
【００２５】
この装置は、アルミニウムなどの軽量の材料製とすることもできる。従来技術の引っ張りソックはずっと大きく、したがって、より重い。架設者は、それぞれが引っ張りソックにより把持されている４本のケーブルをしばしば一度に引くことがある。４個の引っ張りソックを合わせた重量が、ケーブルを所定の位置に引っ張るために加える必要がある力に加算される。しかしながら、大きすぎる力が加えられると、ケーブルが過度に伸張され、その結果それらの内部導体が損傷を受ける。上記で論じたように、所定の力が架設者によって加えられると破断しリセットしなければ架設を再開できない、引っ張りヒューズまたは同様な装置が使用される。より脆弱なケーブル（例えば、手動で引っ張り込まれる４×４ペアケーブルで１２５Ｎである）を引っ張りこむ場合は、所定の破断力が通常は低いので、ケーブル把持装置は軽いほど良い。これは、より重い装置では、架設者は架設工程中より大きな力を加えるようになり、したがって、架設者は引っ張りヒューズまたは同様な装置をより頻繁にリセットしなければならなくなる可能性が高い。
【００２６】
一度に多数のケーブルを引っ張り込むときは、加えられる引っ張り力が対称的であることも重要である。そうでなければ、ケーブルの過度の引張りを避けるため、正しい所定の力で、確実に引っ張りヒューズまたは同様な装置を破断させることは困難である。図６、７、８は、本発明の好ましい実施形態による、そのような対称的な引っ張り力を実現するための装置を示す。
【００２７】
この装置は８角形のベース２００を有する。ベース２００の上に中心円筒２５０の周りに４個の円筒２１０、２２０、２３０および２４０が対称形に置かれている。各円筒は、自在軸受２６０を介してベースに取り付けられており、それによって各円筒はベースに垂直な軸の周りを自由に回転することができる。円筒の間隔は、使用時に互いに確実に干渉しないように選ばれる。螺子付きピン２８０が各円筒の直径を横切って固定されており、急速リリース・リング２９０をその周りに取り付ける場所を提供している。本発明の把持装置を使用することによって形成されるケーブルのリングは、リング２９０の上に掛けられ、この多数引っ張り装置に取り付けられる。ベースの下側は（図８に示すように）、中央円筒２５０に位置合わせして取り付けられた１個の急速リリース・リング３００を有する。（勿論、ハンドルまたは引っ張りロープに直接取り付けることもできるが、そうすると架設者が不注意にケーブルを過度に伸張して損傷させる危険がある。）
【００２８】
引っ張られる数のケーブルを位置決めすることは、円筒の選択を決定することである。例えば、４本のケーブルを引っ張る架設者は、円筒２１０、２２０、２３０および２４０を使用しなければならない。一方、３本のケーブルのみ引っ張る場合は、円筒２１０、２５０および２４０、または円筒２２０、２５０および２３０を使用すべきである。円筒が自由に自在回転できるので、ケーブルは架設工程中に捩じられる可能性が低い。対称的な引っ張り力を確実に実現するために、何本のケーブルが（この実施形態では最高５本まで）引っ張りこまれようが対称的な引っ張り力が達成されるように、筒が選択される。このことは、捩れは架設を妨げ、ケーブルそれ自体を損傷させる可能性があるので重要である。
【図面の簡単な説明】
【００２９】
【図１】本明細書で前に説明した、従来技術によるケーブルの架設に関する構成部品を示す図である。
【図２】本発明の好ましい実施形態による、ケーブル把持部の図である。
【図３】本発明の好ましい実施形態による、ケーブル把持部の図である。
【図４】第１の固定部片に対し、第２の固定部片を締め付ける前のケーブル把持部の長手方向断面図（一定比例でない）である。
【図５】第２の固定部片を締め付けた後のケーブル把持部の長手方向断面図（一定比例でない）である。
【図６】本発明の好ましい実施形態による、多数のケーブルを引っ張るための装置の図である。
【図７】本発明の好ましい実施形態による、多数のケーブルを引っ張るための装置の図である。
【図８】本発明の好ましい実施形態による、多数のケーブルを引っ張るための装置の図である。
【図１】
2005524373.tif 000003
【図２】
2005524373.tif 000004
【図３】
2005524373.tif 000005
【図４】
2005524373.tif 000006
【図５】
2005524373.tif 000007
【図６】
2005524373.tif 000008
【図７】
2005524373.tif 000009
【図８】
2005524373.tif 000010
【手続補正書】
【提出日】平成16年4月16日(2004.4.16)
【手続補正１】
【補正対象書類名】特許請求の範囲
【補正対象項目名】全文
【補正方法】変更
【補正の内容】
【特許請求の範囲】
【請求項１】
ケーブルをその軸方向に摺動可能に受ける細長いハウジングであって、前記ケーブルがそれに沿って通過できる中央孔と、前記ケーブルの端部が開口部を通って前記ハウジングの外に出ることができる少なくとも一方の側に開く開孔部とを備え、さらに、前記ケーブルが戻って前記ハウジングに受けられループを形成することができるような形状の前記ハウジングを備える、前記ケーブルを把持する装置において、前記装置はさらに、少なくとも前記ハウジングによって受けられる前記ケーブルの部分を固定する手段を含み、前記ハウジングは頭部を備え、前記ケーブルのリングを固定する前記手段は前記ケーブルのリングを前記頭部に押し付け一時的に保持するための第１の固定部片と前記第１の固定部片を前記ケーブルのリングに押し付けて固定する第２の固定部片を備える、ケーブルを把持する装置。
【請求項２】
前記ハウジングが筒状である、請求項１に記載の装置。
【請求項３】
前記ハウジングが前記開孔部開口と反対側に凹部を有し、前記ケーブルの前記端部がそのような凹部内で受けられる、請求項１または２に記載の装置。
【請求項４】
前記開孔部が前記ハウジングの全幅を延びて前記ハウジングの反対側に開口し、前記ケーブルが前記開孔部の一端から前記ハウジングを出て、前記開孔部の他端を通り戻ってハウジング内で受けられる、請求項１または２に記載の装置。
【請求項５】
前記開孔部の天井が斜めになっており、ケーブルが前記開孔部を通って出て行くのを案内する、請求項１ないし４のいずれかに記載の装置。
【請求項６】
前記第１の固定部片を前記頭部に向かって付勢するための付勢手段をさらに備える、請求項１ないし５のいずれかに記載の装置。
【請求項７】
ベースと、前記ベースに複数のケーブルの各々を取り付ける手段とを含み、前記取り付け手段は第１の中央取り付け装置と前記中央装置を対称的に取り囲む偶数の他の取り付け装置を有し、各取り付け装置はベースに垂直な軸の周りを自由に回転することができる、複数のケーブルを引っ張るための装置。
【請求項８】
各取り付け装置が急速リリース・リングを備える、請求項７に記載の装置。
【手続補正２】
【補正対象書類名】明細書
【補正対象項目名】全文
【補正方法】変更
【補正の内容】
【発明の詳細な説明】
【技術分野】
【０００１】
本発明はケーブル布線の架設に関する。
【背景技術】
【０００２】
ツイストペア銅ケーブル布線が、建物内で音声やデータをコンピュータ、電話機などの最終使用者の機器に搬送するために従来から使用されているが、使用者の機器に到達するために一般に数百メートルのケーブル布線を天井上または床下を走らせなければならない。
【０００３】
図１は、従来技術によるそのようなケーブル布線の架設に関する構成部品を示す。架設者は通常、５００ｍのケーブル２０を収容するドラム１０からそのようなケーブルを引っ張り込む。ケーブルの端部２０は、鋼製の格子でできた引っ張り用ソック３０内に置かれ、ケーブルが引っ張られると、この格子はそれが取り巻くケーブル長の周りを締め付け、ケーブルをしっかりと把持する。
【０００４】
架設工程中に、絶縁シース内のツイストペア導体が過度に引き伸ばされることによってケーブルが損傷する恐れがあることが、大きな問題である。過度の引き伸ばしはツイストペア線間の間隔を減少させ、それが混線を増加させ、ケーブルの有効性を減少させる。したがって、引っ張りヒューズ４０または（同時係属の英国特許出願ＧＢ０１１８８６１．４に開示する磁気的連結器などの）同様な装置が、架設工程中にケーブルに過大な力が加えられることを防止するために使用される（この連結器は所定の力が加えられたとき切断するようになされており、リセットしなければ架設を再開することができない）。引っ張りヒューズのもう一方の端には、このヒューズの急速リリース・リングを介して、架設者が手動でケーブルをしかるべき位置に引っ張りこむために使用する、ハンドル５０が取り付けられている。
【０００５】
Ｃａｔ６／７標準の開始により、製造者達にさらに高い性能と広い帯域幅が要求されるようになった。箔でシールドされたツイストペアケーブル（Shielded Foiled Twisted Pair）（ＳＦＴＰ）などのケーブルが、これらの増大する要求に応じるために開発されてきた。そのようなケーブル布線では、各ツイストペアの導体はアルミニウムの箔の層で取り巻かれている。次いでペアケーブルの全体が別の箔の層で覆われ、さらに編組シールドされている。この新しい形態は、より高い転送速度を可能するが、ツイストペアの導体をケーブル布線のシース内に正確に位置決めすることにさらに大きく依存している。
【０００６】
引っ張りソックをこれらの新しいケーブルを把持するために使用することは、多くの理由から適切であるとは言えない。現在の引っ張りソックはずっと厚いケーブル用に設計されており、それらをより新しい種類のケーブルをしっかりと把持できるほど小さくすることは物理的に困難である。さらに、引っ張りソックによって把持された部分のケーブル長は廃棄しなければならない。というのは、ソックの把持動作がケーブル・シース内で導体を変位させがちであり、したがって、ケーブルのこの部分が正常に働くことに信頼が置けないからである。
【０００７】
さらに、引っ張りソックは、ケーブル上で十分な締め付け力を実現するためには、比較的長いことが必要である。これは、ソックの鋼製の格子が引っ張られるとき、ケーブルの周りのみしか締め付けないからである。ソックがそれより少しでも短いと、鋼製の格子がケーブルを適切に把持することができる前に、ケーブルはソックから引っ張り外されてしまう可能性がある。この引っ張りソックの長さは、多量のケーブルが無駄になることを意味する。
【０００８】
国際公開第００／６０７１４は、その牽引を可能とするワイヤまたはケーブルと連結するための装置を開示している。この装置は、１個またはいくつかの長手方向の溝を有するリングと、リング内の溝と同じ数の長手方向溝を有し前記リングの内側に嵌め込むように設計された端部部片と、締め付け位置でケーブルの各ワイヤを把持するようになされた突き出した要素（例えばリングの内側のねじ）とを備える。端部部片およびリング内の長手方向の溝は、互いに対向して置かれたとき、各ワイヤの断面に適合するようになされた少なくとも１個のハウジング、すなわち対応する溝同士が互いにオフセットしている上記角度的締め付け位置でその端部部片をリング内に（好ましくはねじによって）締め付ける手段を形成する。この装置は、ダクトまたはケーシング内でワイヤまたはケーブルを引っ張るために使用することができる。
【０００９】
ドイツ国特許第ＤＥ４２０３０９３号明細書は、スロット内を回転し摺動できる円筒状要素の周囲でワイヤのリングの端部を把持することができる、トラフ（trough）または導管（channel）を通ってケーブルを引っ張り、かつ、引き込む工具を開示している。
【００１０】
米国特許第３１６６８１０号明細書は、筒状導管（conduits）などを通って電気ケーブルを引き込み、引っ張るための装置を開示している。この装置はワイヤ撚り線を中に受け、そこで止めねじによって固定するための複数の孔の開いた円筒形の本体を有する。
【特許文献１】英国特許出願ＧＢ０１１８８６１．４
【特許文献２】国際公開第００／６０７１４パンフレット
【特許文献３】ドイツ国特許第ＤＥ４２０３０９３号明細書
【特許文献４】米国特許第３１６６８１０号明細書
【発明の開示】
【発明が解決しようとする課題】
【００１１】
本発明の目的は上記従来技術の問題点を解決し、ケーブルを過度に引き伸ばさず、損傷しないケーブル把持装置を提供することにある。
【課題を解決するための手段】
【００１２】
したがって、本発明は、ケーブルをその軸方向に摺動可能に受ける細長いハウジングであって、ケーブルがそれに沿って通過できる中央孔と、ケーブルの端部が開口部を通ってハウジングの外に出ることができる少なくとも一方の側に開く開孔部とを備え、さらに、ケーブルが戻ってハウジングに受けられリングを形成することができるような形状のハウジングを備える、ケーブルを把持する装置を提供する。この装置はさらに、少なくともハウジングによって受けられるケーブルの部分を固定する手段を含み、ハウジングは頭部を備え、ケーブルのリングを固定する前記手段はケーブルのリングを前記頭部に押し付け一時的に保持するための第１の固定部片と前記第１の固定部片を前記ケーブルのリングに押し付けて固定する第２の固定部片とを備える。
【００１３】
この装置は、図１に示す従来技術の引っ張りソックに代えて使用することを意図している。従来技術の引っ張りソックは、引っ張りヒューズまたは同様な装置に取り付けることができるリングを有している。国際公開第００／６０７１４の装置も、牽引手段に固定できる空洞を装置の頭部に有している。本発明の把持装置は、リングまたは他の牽引手段を備えていない。その代わりに、ケーブル自体を使用して、ケーブルが引っ張りヒューズまたは同様な装置に取り付けることができるリングを形成する。（勿論、この把持装置は直接ハンドルや引っ張りロープに取り付けることもできるが、それは架設者がうっかりしてケーブルを過度に引き伸ばし、それによってケーブルに損傷を与える危険がある。）
【００１４】
取り付け手段としてケーブルのリングを使用することは特に有利である。こうすると装置と共に供給する必要のある部品の数が減り、したがって、製造コストが低減する。
【００１５】
次に本発明の他の態様を説明する。複数のケーブルを引っ張るとき、対称的な引っ張り力を加え、各ケーブルの張力を実質的に同じにすることが重要である。これは、前に述べたように、過度に引き伸ばすとケーブルが損傷を受け易いからである。したがって、引っ張り工程中に所定の力が加えられたとき切断し、それによって過剰な力が加えられることを防止する、引っ張りヒューズまたは同様な装置が使用される。この装置が適切な時期に正しい個所で確実に切断されるためには、加えられる力が対称的であることが必要である。
【００１６】
別の態様では、本発明は、ベースと、複数のケーブルの各々をそのベースに取り付ける手段を含み、その取り付け手段は第１の中央取り付け装置とその中央装置を対称的に取り囲む偶数の他の取り付け装置を有し、各取り付け装置はベースに垂直な軸の周りを自由に回転することができる、複数のケーブルを引っ張るための装置を提供する。
【００１７】
ケーブルは記憶を有しており、架設工程中はねじれた形になることがある。これは工程を遅れさせ、内部の導体の変位に起因するケーブルの損傷をまねく潜在的可能性がある。これが、各取り付け手段がベースの周りを自由に回転可能とし、したがって、ケーブルと共に移動可能とすることの理由である。各取り付け手段は、使用をできるだけ容易にするため、急速リリース・リングを備えることが好ましい。
【００１８】
さらに別の態様として、本発明は、図６、７および８を参照して実質的に本明細書で前に説明したように、引っ張り用の装置を提供する。
【００１９】
次に本発明の好ましい実施形態を、例示の目的でのみ、以下の図面を参照して説明する。
【発明を実施するための最良の形態】
【００２０】
図２、３、４、５を参照すると、ハウジングは、その中央孔１０５Ａ内でケーブル１００を軸方向に受ける中空の筒状本体１０５Ａを有している。本体の下部１１０は、ねじ切りされている。上部１２０は、角度をもった下部表面１５０Ａを有する頭部１５０と、本体１０５の全幅を跨ぐ横断開孔部１２５（図４、５参照）をも備えている。開孔部１２５は出口１３０を有し、頭部１５０から遠い側の本体１０５の下端で本体に入り本体の中央を通過したケーブル１００の自由端を、この出口１３０から架設者が引っ張り出すことができる（図２参照）。開口部１２５は入口１４０へ延び、したがって、ケーブルの自由端は本体１０５内へ戻り、リング１８０を形成することができる。開口部１２５の天井部１６５（図４、５）は、ケーブルを出口から外へ案内するように、出口１３０に対して上方へ斜めになっていることが好ましい。
【００２１】
第１の固定部片１７０が筒状本体１０５上を軸方向に摺動し、開孔部１２５の入口１４０および出口１３０でリングと接触し、ケーブルをそれらの地点で頭部１５０の角度をもった表面１５０Ａに押し付ける。第２の固定部片１６０は円筒状の本体上にねじ込まれれており、第１の固定部片を締め付け、ケーブルのリングを所定の位置に締結することができる。
【００２２】
図４および５に示す螺旋ばね１８５が、第１および第２の固定部片の間で圧縮されており、第１の固定部片１７０は頭部１５０に対して付勢されている。したがって、ケーブルを出口１３０から引き出し、ケーブルの自由端を開口部１２５の入口１４０内に位置させ、それによってリング１８０を形成させるためには、この部片１７０に頭部から離れる方向に力を加えなければならない。ばねは第２の固定部片１６０の筒状延長部１９５上に位置している。部片１７０が一旦解放されると、ばねが固定部片１７０をもとの頭部へ向かって付勢しケーブルを所定の位置に（図４に示すように）一時的に保持し、その間に第２の固定部片１６０をねじ１９０上で締め付けて（図５参照）、リング１８０を固定することができる。ばねのこの効果は、第２の固定部片の締め付けは簡単な片手仕事であることを意味する。さらに、このばねは確実に、第１の固定部片の静止位置が常に頭部の押し付け位置にあり、したがってハウジング内に埃が入りそれによって部品の働きが妨げられるのを防止するようにする。
【００２３】
図示しないが、代替の実施形態では、開口部１２５は本体１０５の幅一杯に延びるのではなく、出口１３０から本体１０５の中空中央孔１０５Ａまでのみ延びることもできる。この場合は、本体の出口１３０と反対側に凹部が形成され、そのような凹部は図示する実施形態で入口１４０がある場所に位置する。使用時は、ケーブル１００の自由端はこの凹部内に折り曲げて押し込まれ、前の説明と同様に第１の固定部片１７０によって固定される。
【００２４】
このさらなる実施形態においてはまた、表面１５０Ａまたは固定部片１７０の上端あるいはその両方は、出口１３０の近傍で解放され、ケーブル１００は折り曲げて凹部に押し込まれた自由端でのみ固定される。これによって、架設者は、ケーブル１００を引っ張り出し、ケーブルのリング１８０を取り付ける装置の周りに締め付けることができる。この変形形態は、開口部１２５が本体１０５の全幅を延びる場合も使用することができ、この場合はケーブルは入口１４０でのみ固定される。
【００２５】
開示のケーブル把持器は、ケーブルをケーブル・ヒューズまたは同様な装置に取り付ける簡単だが効果的な方法を提供する。引っ張りソックと異なり、この把持器はより新しい種類のケーブルに対しても働く寸法にすることができる。さらに、従来技術の解決策を用いる場合よりも、ケーブルの損傷はうんと少なくなる。（少なくとも最初に）リングを形成するのに使用されたケーブルの部分しか廃棄する必要がない。これは、従来技術のソック内のケーブルの全長とは対照的である。これは、この装置が引っ張りソックよりはるかに短いのに、それにもかかわらずケーブルの固定力を十分実現することができる、ケーブルを固定する方法に起因する。引っ張りソックは必ず、ケーブルを固定して把持するためにはるかに長くなる。というのは、ソックの鋼格子はそれが引っ張られるとき、ケーブルの周りを締め付けるだけだからである。ソックがそれより少しでも短いと、鋼製の格子がケーブルを適切に把持することができる前に、ケーブルはソックから引っ張り外されてしまう可能性がある。
【００２６】
さらに本発明によるケーブル把持器は、取り付け手段がケーブル自体（すなわちリング１８０）であるので、とくに有利である。こうすると供給する必要のある部品の数が減り、したがって、製造コストが低減する。
【００２７】
この装置は、アルミニウムなどの軽量の材料製とすることもできる。従来技術の引っ張りソックはずっと大きく、したがって、より重い。架設者は、それぞれが引っ張りソックにより把持されている４本のケーブルをしばしば一度に引くことがある。４個の引っ張りソックを合わせた重量が、ケーブルを所定の位置に引っ張るために加える必要がある力に加算される。しかしながら、大きすぎる力が加えられると、ケーブルが過度に伸張され、その結果それらの内部導体が損傷を受ける。上記で論じたように、所定の力が架設者によって加えられると破断しリセットしなければ架設を再開できない、引っ張りヒューズまたは同様な装置が使用される。より脆弱なケーブル（例えば、手動で引っ張り込まれる４×４ペアケーブルで１２５Ｎである）を引っ張りこむ場合は、所定の破断力が通常は低いので、ケーブル把持装置は軽いほど良い。これは、より重い装置では、架設者は架設工程中より大きな力を加えるようになり、したがって、架設者は引っ張りヒューズまたは同様な装置をより頻繁にリセットしなければならなくなる可能性が高い。
【００２８】
一度に多数のケーブルを引っ張り込むときは、加えられる引っ張り力が対称的であることも重要である。そうでなければ、ケーブルの過度の引張りを避けるため、正しい所定の力で、確実に引っ張りヒューズまたは同様な装置を破断させることは困難である。図６、７、８は、本発明の好ましい実施形態による、そのような対称的な引っ張り力を実現するための装置を示す。
【００２９】
この装置は８角形のベース２００を有する。ベース２００の上に中心円筒２５０の周りに４個の円筒２１０、２２０、２３０および２４０が対称形に置かれている。各円筒は、自在軸受２６０を介してベースに取り付けられており、それによって各円筒はベースに垂直な軸の周りを自由に回転することができる。円筒の間隔は、使用時に互いに確実に干渉しないように選ばれる。螺子付きピン２８０が各円筒の直径を横切って固定されており、急速リリース・リング２９０をその周りに取り付ける場所を提供している。本発明の把持装置を使用することによって形成されるケーブルのリングは、リング２９０の上に掛けられ、この多数引っ張り装置に取り付けられる。ベースの下側は（図８に示すように）、中央円筒２５０に位置合わせして取り付けられた１個の急速リリース・リング３００を有する。（勿論、ハンドルまたは引っ張りロープに直接取り付けることもできるが、そうすると架設者が不注意にケーブルを過度に伸張して損傷させる危険がある。）
【００３０】
引っ張られる数のケーブルを位置決めすることは、円筒の選択を決定することである。例えば、４本のケーブルを引っ張る架設者は、円筒２１０、２２０、２３０および２４０を使用しなければならない。一方、３本のケーブルのみ引っ張る場合は、円筒２１０、２５０および２４０、または円筒２２０、２５０および２３０を使用すべきである。円筒が自由に自在回転できるので、ケーブルは架設工程中に捩じられる可能性が低い。対称的な引っ張り力を確実に実現するために、何本のケーブルが（この実施形態では最高５本まで）引っ張りこまれようが対称的な引っ張り力が達成されるように、筒が選択される。このことは、捩れは架設を妨げ、ケーブルそれ自体を損傷させる可能性があるので重要である。
【図面の簡単な説明】
【００３１】
【図１】本明細書で前に説明した、従来技術によるケーブルの架設に関する構成部品を示す図である。
【図２】本発明の好ましい実施形態による、ケーブル把持部の図である。
【図３】本発明の好ましい実施形態による、ケーブル把持部の図である。
【図４】第１の固定部片に対し、第２の固定部片を締め付ける前のケーブル把持部の長手方向断面図（一定比例でない）である。
【図５】第２の固定部片を締め付けた後のケーブル把持部の長手方向断面図（一定比例でない）である。
【図６】本発明の好ましい実施形態による、多数のケーブルを引っ張るための装置の図である。
【図７】本発明の好ましい実施形態による、多数のケーブルを引っ張るための装置の図である。
【図８】本発明の好ましい実施形態による、多数のケーブルを引っ張るための装置の図である。
【国際調査報告】
2005524373.tif 000011
2005524373.tif 000012
2005524373.tif 000013
2005524373.tif 000014
2005524373.tif 000015